(57)【要約】切り離し可能なカートン壁が、合わせ目（５８）に沿って接合される一対のパネル（５０，５２）から形成された複合壁と、複合壁を横切って延び、合わせ目を横断し、切り離し用の線を画成する切り取り線とを含む。合わせ目を横断する切り取り線の部分線が、極度に弱化した部分線とされる。極度に弱化した部分線が、合わせ目を形成するために重なるパネル（５０，５２）にそれぞれ形成された終端切断線（７０，７２）によって形成される。切断線（７０，７２）が、パネルの末端縁（５４，５６）にそれぞれ近接して配置される。
2006501107.tif 000002
【特許請求の範囲】
【請求項１】
切り離し可能なカートン壁であって：
合わせ目に沿って接合される一対のパネルから形成された複合壁と；
前記複合壁を横切って延び、前記合わせ目を横断し、かつ、切り離し用の線を画成する切り取り線と；を備え、
前記合わせ目を横断する前記切り取り線の部分線が、極度に弱化した部分線とされ、
前記極度に弱化した部分線が、前記合わせ目を形成するために重なる前記パネルにそれぞれ形成された終端切断線によって形成され、前記切断線が、前記パネルの末端縁にそれぞれ近接して配置されていることを特徴とするカートン壁。
【請求項２】
請求項１に記載の発明において、
前記切断線が、前記極度に弱化した部分線を形成するために互いにオフセットして配置されていることを特徴とするカートン壁。
【請求項３】
請求項２に記載の発明において、
前記切断線のそれぞれが弧状とされ、前記合わせ目に関して最も外側に配置される前記パネルの前記切断線が第１の半径を有し、該第１の半径が最も内側の前記パネルの前記切断線の第２の半径より少なくともわずかに小さいことを特徴とするカートン壁。
【請求項４】
請求項２に記載の発明において、
前記切断線のそれぞれが、前記パネルのそれぞれ１つの前記末端縁に近接するニック部材を含んでいることを特徴とするカートン壁。
【請求項５】
カートンであって：
合わせ目を有する複合端部壁で終端する少なくとも１つの端部領域を有する略筒型構造を形成するために互いに接続され、前記複合壁を合わせ目に沿って互いに接合される一対のパネルから形成するようにした頂部壁、基部壁及び一対の側部壁と；
前記端部領域の一部から折り曲げ可能に形成され、前記合わせ目を横断する切り取り線に沿って切り離し可能に前記端部壁に接続された分離可能なトラフと；を備え、
前記合わせ目を横断する前記切り取り線の部分線が、極度に弱化した部分線とされ、
前記極度に弱化した部分線が、前記合わせ目を形成するために重なる前記パネルにそれぞれ形成された終端切断線によって形成され、前記切断線が、前記パネルの末端縁にそれぞれ近接して配置されていることを特徴とするカートン。
【請求項６】
請求項５に記載の発明において、
前記切断線が、前記極度に弱化した部分線を形成するために互いにオフセットして配置されていることを特徴とするカートン。
【請求項７】
請求項６に記載の発明において、
前記切断線のそれぞれが弧状とされ、前記合わせ目に関して最も外側に配置される前記パネルの前記切断線が第１の半径を有し、該第１の半径が最も内側の前記パネルの前記切断線の第２の半径より少なくともわずかに小さいことを特徴とするカートン。
【請求項８】
請求項６に記載の発明において、
前記切断線のそれぞれが、前記パネルのそれぞれ１つの前記末端縁に近接するニック部材を含んでいることを特徴とするカートン。
【請求項９】
請求項５に記載の発明において、
前記トラフが、前記頂部壁からの一部と前記端部壁からの一部と前記側部壁からの一部とに形成され、前記トラフが、前記頂部及び側部壁に切り離し可能に接続されていることを特徴するカートン。
【請求項１０】
請求項９に記載の発明において、
前記切り取り線が、前記端部壁を横切って配置され、前記トラフを前記側部壁に切り離し可能に接続するように前記側部壁に延びていることを特徴とするカートン。
【請求項１１】
請求項１０に記載の発明において、
前記切り取り線が、前記頂部壁を横切って延びるように前記頂部壁に延びていることを特徴とするカートン。
【請求項１２】
切り離し可能なカートン壁を有する組み立てカートンを形成するためのブランクであって：
前記組み立てカートンの合わせ目に沿って接合される複合壁を形成するための一対のパネルと；
前記パネルのそれぞれを横切って延び、前記カートンの組み立てと同時に切り離し用の線を画成するために配置され、該切り離し用の線が前記複合壁を横切って延びて前記組み立てカートンの前記合わせ目を横断するようにした切り取り線と；
前記パネルのそれぞれ１つの末端縁に近接する前記切り取り線のそれぞれの部分線が切断線を含み、前記切断線が、前記組み立てカートンの前記合わせ目を横断する切り離し用の線における極度に弱化した部分線をともに形成することを特徴とするブランク。
【請求項１３】
請求項１２に記載の発明において、
前記パネルのうちの一方の前記切断線が第１の半径を有し、該第１の半径が前記パネルのうちの他方の前記切断線の第２の半径より少なくともわずかに小さいことを特徴とするブランク。
【請求項１４】
請求項１２に記載の発明において、
前記切断線のそれぞれが、前記パネルのそれぞれ１つの前記末端縁に近接するニック部材を含んでいることを特徴とするブランク。
【発明の詳細な説明】
【技術分野】
【０００１】
本発明は、カートンに関するものであり、より詳しくは、切り離し用の切り取り線に沿って切り離し可能な壁部を有し、該切り離し用の線が複数のパネルの接合部を横断しているカートンに関するものである。
【背景技術】
【０００２】
ボール紙などの可撓材料からなるカートンは、該カートンの内部への部分的あるいは完全なアクセスを行うために、カートン壁のうちの１つを部分的あるいは完全に切り離すことが要求されるようにしてしばしば使用される。飲料用缶あるいはビンなどの物品を取り出したり配置したりする目的で前記アクセスがときどき行われる。一般に、カートンは、ミシン目入り線や開封帯などの切り取り可能な領域あるいは線に沿って切り離し可能である。カートン壁の少なくとも一部を切り離し可能としたカートンの一例は、特許文献１である。
【０００３】
物品のパッケージングを効果的に行うため、カートンは、一般に部分的あるいは完全な取り囲み構造を形成する数種類の配置構成に従って構成されていなければならない。例えば、特許文献１のカートンのような四辺形形状の筒型構造である。カートンは、一般にブランクとして知られている平面シートから組み立てる。そのような閉じたカートン構造を形成するため、所定のやり方でブランクの特定の領域を接合することが一般に必要である。複数のカートンパネルの端部は、糊付けなどの接着によって一般に接合する。複数のパネル端部が重なる所には、合わせ目が一般に形成される。
【特許文献１】米国特許第５，５１８，１１１号明細書
【発明の開示】
【発明が解決しようとする課題】
【０００４】
しばしば、複数のパネルの接合部を横切ってカートン壁を切り離すことが望ましいことがある。カートンの合わせ目を横切って引き裂くことは、接合されていないカートン壁よりも一般により困難である。合わせ目は、それが複数層であり、かつ、使用されるどんな接着剤でも剪断に対するそれ自身の抵抗力を増大させることから、本質的に補強された領域である。カートン壁は、非積層状態になるかもしれない、つまり複数の層にバラけてしまうかもしれないし、さもなければ、合わせ目の剪断抵抗のために不本意な状態に破れた部分を有することになるかもしれない。このように、合わせ目を横切ってカートン壁を切り離すための手段を有することは、有用であることが理解できる。
【課題を解決するための手段】
【０００５】
本発明の好ましい実施例によれば、切り取り線が、合わせ目を有するカートン壁を横切って延びることより、切り離し用の線を画成する。切り取り線は、合わせ目を横断する所定の部分線に沿って極度に弱化している。好ましくは、所定の部分線が、線の両側に位置するパネル領域を実質的に分離させるように極度に弱化している。分離部は、好ましくは所定の部分線を切断線とすることによって得られる。
【０００６】
本発明の好ましい実施例の他の観点によれば、極度に弱化した所定の部分線が弧状である。
【０００７】
本発明の好ましい実施例の他の観点によれば、合わせ目を形成するために重なる各パネル部において、切り取り線は、極度に弱化した弧状の部分線で終端する。合わせ目を形成したとき、弧状の部分線は、互いに実質的に位置合わせされるように配置される。
【０００８】
本発明のさらなる実施例によれば、合わせ目を形成したとき、弧状部分線が互いに少なくともわずかにオフセットされる。
【０００９】
本発明のさらに他の実施例によれば、パネルにおける極度に弱化した部分線の終端部が、該パネルの端縁に近接するパネルに対して切り取り可能に接合される。好ましくは、接合部にはニック部材を用いる。
【００１０】
本発明の他の利点及び目的は、以下の説明、添付の図面及び添付の請求項から明らかになるであろう。
【００１１】
以下、本発明の例示的な実施例を、添付の図面を参照しながら一例として説明する。
【発明を実施するための最良の形態】
【００１２】
図面を通して、本発明における同一あるいは同様の特徴部をに対しては同一の参照符号を用いる。
【００１３】
図１を最初に参照すると、本発明の前記教示に従った切り離し可能なカートン壁を有するカートン１０が図示されている。本発明を説明する目的のために、細長い筒型カートン１０が図示されている。しかしながら、本発明の教示は、いかなる特定のカートン形状あるいは構造にも限定されない。
【００１４】
カートン１０は端部領域を有し、該端部領域は、合わせ目５８に沿って重なる複数のパネルから形成された複合壁で終端している。合わせ目５８は、パネル端縁５４と５６との重なり部である。組み立てカートンの図面において、１つのパネル端縁５４あるいは５６が、隠れたものとして点線で示されている。理解しやすくするため、カートン１０の構造を最初に説明する。この目的のために、図１及び図５を同時に参照する。図５は、図１のカートンを形成するためのブランク１２を示している。ブランク１２は、その内面から示されている。つまり、カートン１０は、図面が位置する平面からブランク１２を外向きに折り曲げることによって形成される。
【００１５】
図１におけるカートンの配置を基準ポイントとして使用すると、頂部パネルと側部パネル２２，２６と基部壁パネル２４，２８とが、互いに接続されて、組み立てカートン１０の基本筒型構造を形成している。ハンドル２１は、頂部パネル２０に形成されている。カートンの端部構造は、カートン分野において大小フラップと一般に称されているものから形成されている。
【００１６】
「フラップ」及び「パネル」という用語は、この説明において取り換えられて使用されるものである。小フラップ３４，３６，３８は、カートン１０の端部のための最も内側の閉鎖部となる。理解しやすくするため、大フラップを左右上下部として説明する。これらの方向付けは、本発明を説明する際の補助として使用され、本発明の教示を限定するものではない。（組み立てカートンを図示しているページに向かう方向のポイントから見て）右側の大フラップは、下部４０と上部５０とを有している。同様に、左側の大フラップは、下部４２と上部５２とを有している。大フラップ４０／５０と４２／５２との端部領域同士が互いに重なり合う状態で固定されることによって、カートンの端部が閉鎖される。端部領域の重なりは、（簡潔に上述したように）大フラップの端縁５４，５６間に画成される合わせ目５８を生成する。
【００１７】
切り取り線６０，６２は、各大パネル４０／５０，４２／５２を横切り、図示されたカートンでは該カートンの他の部分にまで延びている。切り取り線の完全な延長部は、カートン１０から分離可能なトラフ１００を画成する。トラフ１００は、この記載の後に説明される。切り取り線６０，６２は、大フラップの下部４０，４２と上部５０，５２とを示すための基準ポイントとして使用される。
【００１８】
切り取り線６０，６２は、該線の両側に位置するパネル部の分離を容易にする任意の弱化した線とされていてもよい。本発明は、限定されることはないが、切り取り線が、ミシン目入り線、開封帯、折り曲げ線、及びニック部材によって断続的に接続された切断線を含むことを意図している。カートン製造分野において、「ニック部材」とは、分離した材料部分に架け渡されて相互に接続する材料細片（あるいは類似する非常に小さな部分）と一般に考えられている。
【００１９】
カートンの端部壁を横切って延びる切り取り線は、各大端部フラップ４０／５０，４２／５２を横切って延びる切り取り線６０，６２の一致によって生じている。大フラップを横切って延びる各切り取り部分線は、各大フラップ４０／５０，４２／５２の端縁５４，５６で終端している。合わせ目（つまり大フラップにおける重なり合うあるいは重なり可能な部分）を横切って延びる切り取り線の各部分線は、極度に弱化している。それは、いやが上にも分離を容易にすることが可能な切り取り線の他の部分よりもさらに弱化している。極度に弱化した部分線７０，７２は、大フラップの端縁に近接して位置している。極度の弱化は、より深い刻み目あるいはより細かく刻まされたミシン目入りの線によってなされていてもよい。本発明の好ましい実施例の１つの観点において、極度の弱化は、切断線を生成することによってなされる。
【００２０】
好ましい実施例のさらなる観点において、特に切断線を使用するとき、極度に弱化した各部分線７０，７２は、該部分線７０，７２におけるフラップ端縁５４，５６との交差部の近くにニック部材８０，８２を含んでいる。ニック部材は、ブランク１２を組み立ててカートン１０にするときに、フラップの端縁領域を安定させるのに役立つ。
【００２１】
切り取り線６０，６２は、該線の両側に位置するカートン壁部を互いに切り離すことができる線を生成する。切り取り線はまた、両パネル部を互いに旋回させることができる折り曲げ部を生成する。切り取り線が大フラップ部の下部４０，４２と上部５０，５２との間の折り曲げ部６４として機能している図２に対しても、参照がなされていてもよい。折り曲げ可能に接続された部分を、その後、折り曲げ部／切り取り線に沿って引き裂くことによって互いに分離させてもよい。切り取り線における極度に弱化した部分線７０，７２は、合わせ目５８から生じる補強されたカートン領域の衝撃を減らすあるいは除去するのに役立つ。極度に弱化した部分線７０，７２に沿っては、引き裂いたり曲げたりすることを妨げる材料が存在しない。せいぜい、フラップを接合する際に使用されていてもよい糊のような接着剤が存在するのみである。
【００２２】
本発明の好ましい実施例の他の観点によれば、極度に弱化した部分線７０，７２は円弧状である。円弧状部分線構造は、パネル部のきれいな分離をより容易にし、かつ、合わせ目５８でパネルが非積層状態となる傾向を減らす。円弧状部分線の湾曲は、引き裂きあるいは剪断応力が主に作用する線と、応力が作用する合わせ目５８の領域との間にオフセットを生じさせる。図２に示されるように、端部壁の下部及び上部を、切り取り線によって形成される折り曲げ部に沿って単一の平面から旋回させる場合、湾曲によって生じるオフセットが、両パネル部を極度に弱化した線（あるいは切断線）の両側で互いに完全に切り離すようにする。このように、壁またはパネル部の接続は、この接合部において合わせ目５８を横切っていない。一旦合わせ目が除かれると、切り取り線に沿って引き裂くことが容易となる。円弧状部分線の湾曲はまた、部分線の一方側に突起９０，９２を生じさせ、他方側にノッチを生じさせる。突起は、パネルの重なりによって補強される。したがって、図２で分かるように、合わせ目５８に沿った壁／パネル部を容易に分離するのに役立つ直立部材が組み立てカートンに生成される。
【００２３】
大フラップの端縁領域を互いに重ねるあるいは接合させると、部分線が互いに実質的に位置合わせされる。本発明は部分線７０，７２の実質的な位置合わせを教示しているが、好ましい実施例の他の観点によれば、この位置合わせは、円弧状部分線同士の間のわずかなオフセットも意図している。１つの円弧状部分線７２が他の円弧状部分線７０よりも大きな湾曲を有するときに、このオフセットがなされる。部分線７０，７２の湾曲度合いの違いは、図６に示されるブランク１２の一部の拡大図と、図３及び４のトラフの図（後でより詳細に説明する）とによって、よりはっきりと示すことができている。突起９０，９２のサイズにおける結果として生じる違いは、図２においてこれらの特徴が誇張されて描写されていることが理解できる。円弧状部分線及び突起がオフセットされていると、突起とノッチとの間のクリアランスが設けられるため、特に旋回したときに上下壁部がより容易に分離されるかもしれない。好ましい実施例において、合わせ目５８の内部層であるフラップ５２に位置する円弧状部分線７２は、必要なクリアランスを設けるために、外部層であるフラップ５０に位置する円弧状部分線７０よりも大きく形成される。
【００２４】
本発明は特に、後にカートン１０の端部に形成されるトラフ１００のための切り離し用の線として機能することが可能な折り曲げ部６４を設ける場合に有効である。図１及び２は、切り取り線が、缶５のような物品のための容器として機能するように下向きに旋回することが可能なトラフを刻んでいる様子を示している。旋回したトラフは、合わせ目５８からの抵抗なく折り曲げ部／切り離し線に沿って引き裂くことで除去することができる。除去されたトラフが、図３及び４に示されている。これらの図はまた、上述した円弧状部分線７０，７２のオフセットを示している。
【００２５】
本発明は、カートン形成工程の完全性を維持する一方で、合わせ目を横切るようにカートンパネルを確実に切り離すための手段を提供する。本発明は、切り離し用の線（切り取り線）から、（合わせ目によって生成される）補強領域を本質的にオフセットする。本発明の教示により、所定領域でのカートン壁の切り離しが、その機能にとって適切に配置された合わせ目を有するように形成されたカートンにおいて成し遂げられる。本発明は、切り離し機構がカートン合わせ目の配置によって制限されることなく利用されるのを可能にする。既に図示されたように、切り離し用の線が切り離しの前に折り曲げ部として機能する場合には、本発明は特に有効である。このように、補強された合わせ目は、切り離し用の線からさらに隔離される。
【００２６】
頂部、基部、側部、端部、縦及び横のような用語は、便宜のために使用され、本発明の好ましい実施例の説明において基準ポイントを提供するためのものであり、本発明の範囲を限定するものではない。請求項に記載された発明の範囲及び思想から逸脱することなく、変更が前述のものにおいてなされていてもよい。
【図面の簡単な説明】
【００２７】
【図１】本発明の好ましい実施例による切り離し可能な壁を有するカートンの斜視図である。
【図２】図１のカートンの斜視図であり、切り離し線としても機能する切り取り線に沿ってカートンに折り曲げ可能に接続されたトラフが下向きにひっくり返された図である。
【図３】カートンの残りの部分に対して除去された状態の図２のトラフの斜視図である。
【図４】図３のトラフの立面図である。
【図５】図１のカートンを形成するためのブランクの平面図である。
【図６】図５のブランクの一部の拡大平面図である。
【符号の説明】
【００２８】
１０  カートン
１２  ブランク
２０  頂部パネル
２１  ハンドル
２２，２６  側部パネル
３４，３６，３８  小フラップ
４０，５０，４２，５２  大フラップ
４０，４２  下部
５０，５２  上部
５４，５６  端縁
５８  合わせ目
６０，６２  切り取り線
６４  折り曲げ部
７０，７２  極度に弱化した部分線
８０，８２  ニック部材
９０，９２  突起
１００  トラフ
【図１】
2006501107.tif 000003
【図２】
2006501107.tif 000004
【図３】
2006501107.tif 000005
【図４】
2006501107.tif 000006
【図５】
2006501107.tif 000007
【図６】
2006501107.tif 000008
【手続補正書】
【提出日】平成16年7月29日(2004.7.29)
【手続補正１】
【補正対象書類名】特許請求の範囲
【補正対象項目名】全文
【補正方法】変更
【補正の内容】
【特許請求の範囲】
【請求項１】
切り離し可能なカートン壁であって：
合わせ目に沿って接合される一対のパネルから形成された複合壁と；
前記複合壁を横切って延び、前記合わせ目を横断し、かつ、切り離し用の線を画成する切り取り線と；を備え、
前記合わせ目を横断する前記切り取り線の部分線が、極度に弱化した部分線とされ、
前記極度に弱化した部分線が、前記合わせ目を形成するために重なる前記パネルにそれぞれ形成された終端切断線によって形成され、前記切断線が、前記パネルの末端縁にそれぞれ近接して配置され、前記切断線が、前記極度に弱化した部分線を形成するために互いにオフセットして配置され、前記パネルのうちの一方の前記切断線が、前記パネルのうちの他方の前記切断線の第１の半径を有していることを特徴とするカートン壁。
【請求項２】
請求項１に記載の発明において、
前記切断線のそれぞれが弧状とされ、前記合わせ目に関して最も外側に配置される前記パネルの前記切断線が第１の半径を有し、該第１の半径が最も内側の前記パネルの前記切断線の第２の半径より少なくともわずかに小さいことを特徴とするカートン壁。
【請求項３】
請求項１に記載の発明において、
前記切断線のそれぞれが、前記パネルのそれぞれ１つの前記末端縁に近接するニック部材を含んでいることを特徴とするカートン壁。
【請求項４】
カートンであって：
合わせ目を有する複合端部壁で終端する少なくとも１つの端部領域を有する略筒型構造を形成するために互いに接続され、前記複合壁を合わせ目に沿って互いに接合される一対のパネルから形成するようにした頂部壁、基部壁及び一対の側部壁と；
前記端部領域の一部から折り曲げ可能に形成され、前記合わせ目を横断する切り取り線に沿って切り離し可能に前記端部壁に接続された分離可能なトラフと；を備え、
前記合わせ目を横断する前記切り取り線の部分線が、極度に弱化した部分線とされ、
前記極度に弱化した部分線が、前記合わせ目を形成するために重なる前記パネルにそれぞれ形成された終端切断線によって形成され、前記切断線が、前記パネルの末端縁にそれぞれ近接して配置され、前記切断線が、前記極度に弱化した部分線を形成するために互いにオフセットして配置され、前記パネルのうちの一方の前記切断線が、前記パネルのうちの他方の前記切断線の第１の半径を有していることを特徴とするカートン。
【請求項５】
請求項４に記載の発明において、
前記切断線のそれぞれが弧状とされ、前記合わせ目に関して最も外側に配置される前記パネルの前記切断線が第１の半径を有し、該第１の半径が最も内側の前記パネルの前記切断線の第２の半径より少なくともわずかに小さいことを特徴とするカートン。
【請求項６】
請求項４に記載の発明において、
前記切断線のそれぞれが、前記パネルのそれぞれ１つの前記末端縁に近接するニック部材を含んでいることを特徴とするカートン。
【請求項７】
請求項４に記載の発明において、
前記トラフが、前記頂部壁からの一部と前記端部壁からの一部と前記側部壁からの一部とに形成され、前記トラフが、前記頂部及び側部壁に切り離し可能に接続されていることを特徴するカートン。
【請求項８】
請求項７に記載の発明において、
前記切り取り線が、前記端部壁を横切って配置され、前記トラフを前記側部壁に切り離し可能に接続するように前記側部壁に延びていることを特徴とするカートン。
【請求項９】
請求項８に記載の発明において、
前記切り取り線が、前記頂部壁を横切って延びるように前記頂部壁に延びていることを特徴とするカートン。
【請求項１０】
切り離し可能なカートン壁を有する組み立てカートンを形成するためのブランクであって：
前記組み立てカートンの合わせ目に沿って接合される複合壁を形成するための一対のパネルと；
前記パネルのそれぞれを横切って延び、前記カートンの組み立てと同時に切り離し用の線を画成するために配置され、該切り離し用の線が前記複合壁を横切って延びて前記組み立てカートンの前記合わせ目を横断するようにした切り取り線と；
前記パネルのそれぞれ１つの末端縁に近接する前記切り取り線のそれぞれの部分線が切断線を含み、前記切断線が、前記組み立てカートンの前記合わせ目を横断する切り離し用の線における極度に弱化した部分線をともに形成し、前記極度に弱化した部分線を形成する前記切断線が互いにオフセットして配置され、前記パネルのうちの一方の前記切断線が第１の半径を有し、該第１の半径が前記パネルのうちの他方の前記切断線の第２の半径より少なくともわずかに小さいことを特徴とするブランク。
【請求項１１】
請求項１０に記載の発明において、
前記切断線のそれぞれが、前記パネルのそれぞれ１つの前記末端縁に近接するニック部材を含んでいることを特徴とするブランク。
【国際調査報告】
2006501107.tif 000009
2006501107.tif 000010